(57)【要約】【課題】  本発明は釣り情報表示システムに関し、魚探等のデータ送信による表示が可能な環境が整っているか否かの実態に即して、最適な初期画面の表示を可能とした釣り情報表示システムを提供することを目的とする。【解決手段】  釣人に釣り情報を表示する表示器と、魚釣用リールに装着され、釣糸の繰出しや巻取りで回転する回転体の回転数と回転方向を基に糸長を計測して、当該糸長を上記表示器に表示させる糸長計測装置と、情報収集手段で得られた釣り情報に関する外部送信手段からの送信データを受信する受信手段と、外部送信手段からの信号の有無を検知する検知手段とを備えると共に、当該検知手段の検知結果に基づき、上記表示器の通電開始時の初期画面の表示形態を自動的に切り換える切換手段を備えたことを特徴とする。【選択図】    図５
2005348684.tif 000002
【特許請求の範囲】
【請求項１】
釣人に釣り情報を表示する表示器と、
魚釣用リールに装着され、釣糸の繰出しや巻取りで回転する回転体の回転数と回転方向を基に糸長を計測して、当該糸長を上記表示器に表示させる糸長計測装置と、
情報収集手段で得られた釣り情報に関する外部送信手段からの送信データを受信する受信手段と、
外部送信手段からの信号の有無を検知する検知手段とを備えると共に、
当該検知手段の検知結果に基づき、上記表示器の通電開始時の初期画面の表示形態を自動的に切り換える切換手段を備えたことを特徴とする釣り情報表示システム。
【請求項２】
表示器の表示形態は記憶手段に複数設定，記憶されると共に、釣人の外部操作で任意に選択可能とされ、
切換手段は、検知手段の検知結果に基づき、上記表示器の初期画面の表示形態を、選択された表示形態に自動的に切り換えることを特徴とする請求項１に記載の釣り情報表示システム。
【請求項３】
外部送信手段からの釣り情報に関する送信データは、釣船に艤装された魚探データであることを特徴とする請求項１または請求項２に記載の釣り情報表示システム。
【請求項４】
表示器は魚釣用リールに設けられると共に、検知手段と切換手段の一方または双方は魚釣用リール、または当該魚釣用リールと別体で当該魚釣用リールに接続する部材に備えられていることを特徴とする請求項１乃至請求項３のいずれか１項に記載の釣り情報表示システム。
【発明の詳細な説明】
【技術分野】
【０００１】
本発明は、魚釣用リールに備えた糸長計測装置の糸長計測値（内部釣り情報）や、釣船に艤装した魚群探知機（以下、「魚探」という）や衛星探査システム（以下、「ＧＰＳ」という）等の情報収集手段で得られた外部釣り情報を表示器に表示させる釣り情報表示システムに関する。
【背景技術】
【０００２】
釣果の向上を図る目的で、近年、船釣り等に使用される魚釣用リールには、回転検出手段で検出したスプール等の回転数と回転方向を基に糸長を計測表示する糸長計測装置が備えられており、釣人はリール本体の表示器に表示された糸長を基に、所定の棚位置に仕掛けを繰り出すことができるようになっている。
また、昨今、釣船には水深や水温，自船位置等の魚釣りに関する情報を収集可能な魚探やＧＰＳ等の情報収集手段が艤装されており、船頭はこれらの情報収集手段で得られた釣り情報を口頭で釣人に提供し、釣人は、船頭から提供される魚層に適合した棚位置等を魚釣用リールに設定して、実釣時の釣糸の繰出し操作のなかで仕掛けを棚位置で自動停止させたり、棚停止と共にアラーム等の報知手段を報知させている。
【０００３】
しかし、棚位置等の釣り情報は、魚の群れの移動や海底の起伏状態等によって刻々と変化し、この釣り情報の変化を釣人が迅速に把握することが釣果の向上を図る上で重要である。
そこで、釣り情報とその変化を釣人にタイムリーに提供すべく、本出願人は特許文献１〜３に於て、魚探やＧＰＳ等で得られた釣り情報を送信データとして外部送信手段から送信させ、この送信データを魚釣用リール側に装着した受信手段で受信してリール本体の表示器に表示させる技術を開示した。
【特許文献１】特開２００２−１４２６２３号公報
【特許文献２】特開２００３−２７４８２１号公報
【特許文献３】特開２００３−２７４８３０号公報
【発明の開示】
【発明が解決しようとする課題】
【０００４】
而して、特許文献１〜３に開示したこれらの技術によれば、魚探で得られた魚群や水深等のデータ，ＧＰＳや他の釣船からの無線連絡等による現在釣果の上がっている実績ポイント等の様々な釣り情報を表示器を介して迅速に把握することが可能になるため、釣果の上がる棚取りや釣法に素早く対応することが可能となる。
しかし、未だ実際には、魚探やＧＰＳ等の釣り情報を発信する外部送信手段を備えている釣船と備えていない釣船とが多数混在しているのが実情である。
【０００５】
このため、外部送信手段を備えていない釣船で実釣を行うことを想定して、特許文献１〜３の技術では、電源を接続して最初にリール本体の表示器に表示される初期画面が送信データ（外部データ）非表示の通常画面とされている。
また、外部送信手段を備えた釣船で実釣を行う場合は、折角魚探等のデータ送信による表示が可能な環境が整っていても、釣人がその都度表示画面を外部操作で切り換える必要があり、揺れる船上のように操作性の悪い場所での煩わしい作業が残る不具合が指摘されている。
【０００６】
更にまた、乗船時に外部送信手段の有無を船頭に確認する必要があって面倒であるといった点も指摘されていた。
本発明は斯かる実情に鑑み案出されたもので、魚探等のデータ送信による表示が可能な環境が整っているか否かの実態に即して、最適な初期画面の表示を可能とした釣り情報表示システムを提供することを目的とする。
【課題を解決するための手段】
【０００７】
斯かる目的を達成するため、請求項１に係る釣り情報表示システムは、釣人に釣り情報を表示する表示器と、魚釣用リールに装着され、釣糸の繰出しや巻取りで回転する回転体の回転数と回転方向を基に糸長を計測して、当該糸長を上記表示器に表示させる糸長計測装置と、情報収集手段で得られた釣り情報に関する外部送信手段からの送信データを受信する受信手段と、外部送信手段からの信号の有無を検知する検知手段とを備えると共に、当該検知手段の検知結果に基づき、上記表示器の通電開始時の初期画面の表示形態を自動的に切り換える切換手段を備えたことを特徴とする。
【０００８】
そして、請求項２に係る発明は、請求項１に記載の釣り情報表示システムに於て、表示器の表示形態は記憶手段に複数設定，記憶されると共に、釣人の外部操作で任意に選択可能とされ、切換手段は、検知手段の検知結果に基づき、上記表示器の初期画面の表示形態を、選択された表示形態に自動的に切り換えることを特徴とする。
また、請求項３に係る発明は、請求項１または請求項２に記載の釣り情報表示システムに於て、外部送信手段からの釣り情報に関する送信データは、釣船に艤装された魚探データであることを特徴とし、請求項４に係る発明は請求項１乃至請求項３のいずれか１項に記載の釣り情報表示システムに於て、表示器は魚釣用リールに設けられると共に、検知手段と切換手段の一方または双方は魚釣用リール、または当該魚釣用リールと別体で当該魚釣用リールに接続する部材に備えられていることを特徴とする。
【発明の効果】
【０００９】
各請求項に係る発明によれば、電源投入時の初期画面を受信結果に応じ自動的に切り換えるように構成したので、従来に比し実釣時の実態に即した最適な表示が可能となった。
そして、請求項２に係る発明は、初期画面の表示形態を選択，設定可能としたので、釣人の好みに対応できることは勿論、釣法や釣場の状況にも対応できる利点を有する。
また、請求項４に係る発明によれば、給電コードやバッテリ等、魚釣用リールと別体で当該魚釣用リールに接続する部材に受信部や検知手段を装着することで、魚釣用リールの大型化，重量化を防止して操作性の向上が図れると共に、スプールモータ等のモータノイズ等による受信障害を防止することが可能となる。
【００１０】
一方、受信部と検知手段を魚釣用リールのリール本体内に装着して、給電コードを用いずにリール本体や釣竿にバッテリを装着すれば、魚釣用リールの取り回しが容易となって操作性が向上する利点を有する。
【発明を実施するための最良の形態】
【００１１】
以下、本発明の実施形態を図面に基づいて詳細に説明する。
図１及び図２は請求項１乃至請求項４の一実施形態に係る釣り情報表示システムを備えた魚釣用電動リール（以下、「電動リール」という）とこれに接続される給電コードを示し、図１に於て、１はリール本体３のフレーム、５，７は当該フレーム１の左右に取り付く側板で、両側板５，７間にスプール軸が支持部に支持され、当該スプール軸にスプール９が回転可能に支持されている。
【００１２】
スプール９は、スプールモータ（図２中、符号１１）の駆動やハンドル１３の巻取り操作で回転して釣糸が巻回されるようになっており、スプールモータ１１はスプール９前方のフレーム１に一体成形されたモータケース内に収納されている。
そして、ハンドル側の側板７の上部前方には、特許第２９７７９７８号公報で開示された電動リールと同様、スプールモータ１１のモータ出力を調節するレバー形状のモータ出力調節体（以下、「パワーレバー」という）１５がハンドル１３と同方向へ回転操作可能に取り付けられており、当該パワーレバー１５の操作で、制御ボックス１７内に装着した図３のマイクロコンピュータ（制御手段）１９が、モータ駆動回路２１を介してスプールモータ１１のモータ出力をモータ停止状態から高出力値まで連続的に増減して、スプール９の巻取り速度を制御するようになっている。
【００１３】
また、図１に示すようにスプール９後方の側板５，７間には、側板７内に装着したクラッチ機構を操作するクラッチレバー２３が下方向へ押圧操作可能に取り付けられており、当該クラッチレバー２３の押圧操作で、クラッチ機構がクラッチＯＮからクラッチＯＦＦに切り換わるようになっている。
そして、このクラッチＯＦＦ状態でハンドル１３を巻取り方向へ回転させると、図示しない周知の復帰機構を介してクラッチ機構がクラッチＯＮに復帰するように構成されており、このクラッチ機構のクラッチＯＮ／ＯＦＦの切換えでスプール９が釣糸巻取り状態と釣糸繰出し状態とに切り換わって、スプール９へのスプールモータ１１やハンドル１３の動力が伝達／遮断されるようになっている。
【００１４】
一方、図１中、２５はスプール９の回転数とその回転方向を検出する回転検出手段で、回転検出手段２５は、フレーム１に装着された一対のリードスイッチ２７と、これに対向してスプール９の一端側周縁部に固着された複数のマグネット２９とで構成されており、リードスイッチ２７はマイクロコンピュータ１９のＣＰＵに接続されている。
而して、ＣＰＵは、後述する「外部信号受信モード」と「外部信号非受信モード」に於て、特開平５−１０３５６７号公報で開示された魚釣用リールの糸長計測プログラムと同様、リードスイッチ２７から出力されるスプール９の正転，逆転の判定信号を取り込んで釣糸の繰出しか巻取りかを判定すると共に、リードスイッチ２７から取り込むスプール９の回転パルス信号をカウントして、この計数値を基にマイクロコンピュータ１９のＲＯＭに記憶された糸長計算式を演算実行するようになっている。
【００１５】
そして、図２に示すようにＣＰＵは、表示駆動回路３１を介してその演算結果（糸長計測値）を制御ボックス１７の操作パネル３３上に設けた表示器３５に表示させるが、表示器３５はドットマトリックス方式のカラーＴＦＴ液晶ディスプレイで構成されている。
而して、図４は「外部信号非受信モード」に於ける表示器３５の一表示形態を示し、表示器３５の中央の上カラ表示部３７と棚カラ表示部３９に、夫々、水面からの仕掛けの水深と棚からの仕掛けの距離が上下２段に並列して表示されるようになっている。
【００１６】
ここで棚位置の設定について説明すると、上述したようにＣＰＵは、リードスイッチ２７からの回転パルス信号を基に糸長を計測して上カラ表示部３７に表示させるが、図１に示すように表示器３５に隣接してハンドル側の操作パネル３３上にリセットスイッチ４１と棚メモスイッチ４３が上下に装着されると共に、反ハンドル側の操作パネル３３上に、後述する拡大／通常切換スイッチ４５とモードスイッチ４７，コマセスイッチ４９が表示器３５に隣接して上下に装着されており、図３の如くこれらはマイクロコンピュータ１９に接続されている。
【００１７】
そして、実釣の開始時に釣糸が竿先から水面まで繰り出された処で釣人がリセットスイッチ４１を操作すると、上カラ表示部３７の表示値が「０．０」にリセットされるようになっている。
この後、釣人が釣糸を繰り出していくと、ＣＰＵで演算，計測された糸長が上カラ表示部３７に表示され、釣糸が例えば９５．５ｍ繰り出された処で釣人が棚メモスイッチ４３を操作すると、棚カラ表示部３９に「０．０」が表示されて棚位置が設定され、以後、図４に示すように棚位置から例えば１５ｍの釣糸の巻取りに伴う仕掛けの距離と水面からの繰出し量（水深）が、夫々、棚カラ表示部３９と上カラ表示部３７に表示されるようになっている。
【００１８】
また、図４に示すように表示器３５には、更にデジタル文字によるデジタル表示部５１と、当該デジタル表示部５１を囲む８片のセグメント５３とで構成された周知のタイマ表示部５５が設けられており、上述したコマセスイッチ４９を操作すると、マイクロコンピュータ１９のタイマが作動し、計時された時間がタイマ表示部５５に表示されてコマセの詰替え時期が確認できるようになっている。
【００１９】
一方、図２に示すようにリール全体の保持性を向上させるため、電動リール５７には、下方へ突出する突出部５９が反ハンドル側の側板５の下部に設けられている。
そして、突出部５９の底部に、給電コード６１を接続するレセプタクル（給電接続部）６３が装着されており、当該レセプタクル６３に給電コード６１のコネクタ６５を接続して、給電コード６１の鰐口クリップ６７，６９を図示しないバッテリ（外部電源）に接続すると、スプールモータ１１が駆動可能になると共に、図５に示すようにマイクロコンピュータ１９は、この初期通電状態で「外部信号受信判定モード」になるように設定されている。
【００２０】
尚、図２中、７１はコネクタ６５の外周に刻設したねじ部に相対回転可能、且つ長手方向に移動可能に螺合する周知の締付具で、当該締付具７１がレセプタクル６３の外周に設けられたねじ部に螺合して、レセプタクル６３に接続したコネクタ６５の脱落防止を図っている。
次に、「外部信号受信モード」，「外部信号非受信モード」及び「外部信号受信判定モード」について説明すると、図３に示すように釣人が乗船する釣船７３には、魚探７５と、ＧＰＳ衛星７７からの電波を受信するＧＰＳ受信機７９が艤装されている。そして、ＧＰＳ受信機７９が魚探７５に接続されてＧＰＳ情報が魚探７５上で確認できるようになっているが、更に釣船７３には送信機８１が装備され、当該送信機８１に魚探７５が接続されている。
【００２１】
そして、送信機８１内にはマイクロコンピュータ８３が組み込まれており、送信機８１は、マイクロコンピュータ８３で処理した魚探７５やＧＰＳ衛星７７の釣り情報に関する送信データを無線信号で外部に送信するようになっている。この送信データが、前記「外部信号受信モード」，「外部信号非受信モード」，「外部信号受信判定モード」に於ける「外部信号」であり、釣船７３に艤装された魚探７５やＧＰＳ受信機７９，送信機８１，マイクロコンピュータ８３等を総称して「外部送信手段」という。
【００２２】
一方、図２に示すように給電コード６１には、コネクタ６５側にボックス状のケーシング８５が取り付き、当該ケーシング８５内に、釣船７３側（送信機８１）から送信された送信データを受信してこれを電動リール５７へ伝送する受信伝送部（図３中、符号８７）が収容されている。
而して、給電コード６１は、図示しない絶縁被覆材で導電線が被覆された電力供給線としての２本の±のリード線８９，９１が、鰐口クリップ６７，６９側の先端を除き外皮９３で覆われ、リード線８９，９１の一端側に既述したコネクタ６５が取り付き、他端側に２つの鰐口クリップ６７，６９が取り付けられているが、更に受信伝送部８７とコネクタ６５との間に、絶縁被覆材で被覆された３本の情報通信線（図３中、符号９５，９７，９９）がリード線８９，９１と共に外皮９３で覆われて配線されている。
【００２３】
そして、図６及び図７に示すように電動リール５７のレセプタクル６３内には、＋端子１０１と−端子１０３に加えて３本の接続端子１０５，１０７，１０９が配設され、他方、図８に示すように給電コード６１のコネクタ６５には、＋端子１０１と−端子１０３の接続孔１１１，１１３と共に、前記接続端子１０５，１０７，１０９に対応して３個の接続孔１１５，１１７，１１９が設けられており、接続孔１１１，１１３に夫々リード線８９，９１が接続し、３個の接続孔１１５，１１７，１１９に、夫々、３本の情報通信線９５，９７，９９が接続されている。
【００２４】
従って、コネクタ６５を介して給電コード６１をレセプタクル６３に接続すると、受信伝送部８７と電動リール５７のマイクロコンピュータ１９が、３本の情報通信線９５，９７，９９を介して電気的に接続されることとなる。
尚、本実施形態では、斯様に３本の情報通信線９５，９７，９９をリード線８９，９１と共に外皮９３に内装したが、情報通信線９５，９７，９９に代えて電力供給線を使用し、釣り情報をこれに重畳して伝送させるように給電コードを構成してもよく、この給電コードによれば、既述した３本の接続端子１０５，１０７，１０９や３個の接続孔１１５，１１７，１１９が不要となる。
【００２５】
而して、斯様に構成された給電コード６１を介して電動リール５７をバッテリに接続すると、既述したようにマイクロコンピュータ１９のＣＰＵは、この初期通電状態で「外部信号受信判定モード」となるように設定されている。
即ち、今日、多くの釣船には上述の如き外部送信手段が備えられているが、実際にはこのような外部送信手段を備えている釣船と備えていない釣船とが多数混在しているのが実情であり、特許文献１〜３の技術は、外部送信手段を備えていない釣船で実釣を行うことを想定して、バッテリを接続した最初の表示器の初期画面は外部データ非表示の通常画面となっていた。
【００２６】
このため、外部送信手段を備えた釣船で実釣を行う場合は、釣人がその都度表示画面を切り換えなければならず、乗船時には外部送信手段の有無を船頭に確認する等の煩わしさがあった。
そこで、本実施形態は斯かる実情に鑑み、図５のステップＳ１に示すように初期通電状態でＣＰＵは「外部信号受信判定モード」となり、この「外部信号受信判定モード」でＣＰＵは、釣船７３の送信機８１から魚探７５やＧＰＳ衛星７７の送信データが送信されて、これを受信伝送部８７が受信しているか否かを判定するようになっている（ステップＳ２）。
【００２７】
そして、このステップＳ２で「無線信号あり」と判定すると、ＣＰＵはステップＳ３の「外部信号受信モード」に切り換わり、また、「無線信号なし」と判定すると、ＣＰＵはステップＳ４の「外部信号非受信モード」に切り換わるようになっている。
而して、斯様に「外部信号受信モード」に切り換わると、ＣＰＵは操作パネル３３上の表示器３５に「外部信号受信モード」の初期画面を表示させ、また、「外部信号非受信モード」に切り換わると、ＣＰＵは表示器３５に「外部信号非受信モード」の初期画面を表示させるようになっている。
【００２８】
図９は「外部信号受信モード」に於ける表示器３５の一表示形態を示し、この「外部信号受信モード」に於て、ＣＰＵは、表示駆動回路３１を介して表示器３５の中央を魚探データ表示部１２１として、当該魚探データ表示部１２１上に、受信伝送部８７で受信されて情報通信線９５，９７，９９により伝送された釣船７３からの魚探データを表示させるようになっている。
【００２９】
而して、魚探データ表示部１２１には、釣人が乗っている釣船７３の位置がポインタ１２３で表示され、更にポインタ１２５，１２７によって糸長計測で得られた仕掛けの位置と魚探７５で得られた魚群の位置が表示されると共に、海底の地形１２９や設定された棚位置１３１が実線や破線で表示され、更にまた、それらの水深がポインタ１２５，１２７と棚位置１３１の近傍に表示されるようになっている。
【００３０】
更に、図９に示すようにＣＰＵは、魚探データ表示部１２１の表示と同時に、表示器３５の右側上部を新たに上カラ表示部３７-1と棚カラ表示部３９-1として、これらに仕掛けの水面からの水深と仕掛けの棚からの距離を上下２段に表示させると共に、表示器３５の左側上部をＧＰＳデータ表示部１３３として、当該ＧＰＳデータ表示部１３３に、ＧＰＳ情報として日付と時刻，釣船７３の現在位置（経度と緯度）を表示させるようになっている。
【００３１】
尚、この表示形態に於て、釣船７５にＧＰＳが装備されていない場合、上記ＧＰＳデータ表示部１３３にはＧＰＳデータが表示されない構造となっている。
そして、マイクロコンピュータのＲＯＭには、図４，図９の表示形態を含めた「外部信号受信モード」と「外部信号非受信モード」に於ける複数の表示形態の初期画面が予め設定，記憶されている。
【００３２】
以下、これを詳述すると、ＲＯＭには先ず、「外部信号受信モード」の初期画面として、
[1]魚探データのみ
[2]ＧＰＳデータのみ
[3]糸長計測による水深データと魚探データの併記
[4]水深データとＧＰＳデータの併記
[5]水深データと魚探データ，ＧＰＳデータの全ての表示（図９に該当）
の５種類の表示形態の初期画面が予め設定，記憶されている。
【００３３】
また、ＲＯＭには「外部信号非受信モード」の初期画面として、
[6]水深データの繰出しデータ（図４の上カラ表示部３７の表示）のみ
[7]水深データの表示（図４の上カラ表示部３７と底カラ表示部３９の併記）
[8]繰出しデータとタイマ表示（図４のタイマ表示部５５の表示）の併記
[9]水深データとタイマの全ての表示（図４に該当）
の４種類の表示形態の初期画面が予め設定，記憶されている。
【００３４】
而して、工場出荷段階では、予め上記[5]と[9]の表示形態の組合せがマイクロコンピュータ１９のＲＡＭに設定，記憶されており、既述したように図５のステップＳ２で「無線信号あり」と判定されてステップＳ３の「外部信号受信モード」に切り換わると、ＣＰＵは表示器３５に上記[5]の表示形態の初期画面を表示し、また、「無線信号なし」と判定されてステップＳ４の「外部信号非受信モード」に切り換わると、ＣＰＵは表示器３５に上記[9]の表示形態の初期画面を表示させるようになっている。
【００３５】
そして、表示形態[1]，[2]，[3]，[4]，[5]間の変更と、表示形態[6]，[7]，[8]，[9]間の変更は、以下の手順で行えるようになっている。
図１０に示すようにＣＰＵが「外部信号受信モード」または「外部信号非受信モード」の何れかの状態にあるとき（ステップＳ７）、即ち、電動リール５７がバッテリに接続されて通電状態にあるときにモードスイッチ４７を操作すると（ステップＳ８）、ＣＰＵは「表示形態変更モード」に移行するようになっている（ステップＳ９）。
【００３６】
そして、ＣＰＵが例えば「外部信号受信モード」から「表示形態変更モード」に移行した場合、図示しないが表示器３５の中央に、既述した[1]〜[5]の記述とポインタが表示されるようになっており、斯かる状態でパワーレバー１５を前後方向へ回動操作すると、ポインタが[1]〜[5]間を順次移動するようになっている。そして、パワーレバー１５の操作で釣人が任意の表示形態を選択してリセットスイッチ４１を操作すると、表示形態[1]〜[5]の中から選択した新たな表示形態の初期画面がマイクロコンピュータ１９のＲＡＭに設定，記憶され（ステップＳ１０）、以後、図５のステップＳ５でこの選択した表示形態の初期画面が、初期通電時に表示器３５に表示されるようになっている。
【００３７】
また、斯様にリセットスイッチ４１を操作せずに、パワーレバー１５の操作で釣人が任意の表示形態[1]〜[5]の中から一つを選択してモードスイッチ４７を操作すると（ステップＳ１１）、選択した新たな「外部信号受信モード」の表示形態の初期画面がＲＡＭに設定，記憶された後、ＣＰＵは、ステップＳ１０に戻って「外部信号非受信モード」の初期画面を選択する「表示形態変更モード」となる。
【００３８】
而して、この「表示形態変更モード」では、表示器３５の中央に既述した[6]〜[9]の記述とポインタが表示されるようになっており、斯かる状態でパワーレバー１５を同じく操作すると、ポインタが[6]〜[9]間を順次移動する。そして、任意の表示形態を釣人が選択してリセットスイッチ４１を操作すると（ステップＳ１２）、表示形態[6]〜[9]の中から選択した新たな表示形態の初期画面がＲＡＭに設定，記憶され、以後、図５のステップＳ６でこの選択した表示形態の初期画面が表示されるようになっている。
【００３９】
そして、斯様にリセットスイッチ４１が操作されると、ＣＰＵは当初の「外部信号受信モード」または「外部信号非受信モード」に戻るようになっている（ステップＳ１３）。
また、既述したように電動リール５７の操作パネル３３上には拡大／通常切換スイッチ４５が装着されているが、上述の如き表示形態の選択時にこの拡大／通常切換スイッチ４５を操作すると、各表示形態[1]〜[5]，[6]〜[9]の通常表示と拡大表示が選択できるようになっている。
【００４０】
尚、既述した表示形態[1]〜[5]，[6]〜[9]に加え、更に表示内容や表示図形等を簡略化した簡易表示の形態を加えてこれを更に選択，設定可能とする等、選択可能な表示形態の初期画面のバリエーションは仕様に応じて適宜設定可能である。
また、給電機能と釣り情報伝送機能を持った本実施形態の給電コード６１に代え、給電機能のみを持った通常の給電コードを接続する場合には、図示しないアダプタを別途用いてこれを電動リール５７に接続することで「外部信号非受信モード」での釣りが可能となり、給電コードの使い分けで「外部信号受信モード」と「外部信号非受信モード」の選択使用が可能である。更にまた、通常の給電コードのコネクタに、＋端子１０１と−端子１０３の接続孔と、接続端子１０５，１０７，１０９に対応して３個の単なる挿入孔を設けておけば、斯様にアダプタを別途用いる必要がなくなる。
【００４１】
本実施形態に係る釣り情報表示システムはこのように構成されているから、給電コード６１を介して電動リール５７をバッテリに接続すると、図５に示すようにマイクロコンピュータ１９のＣＰＵはこの初期通電状態で「外部信号受信判定モード」となって（ステップＳ１）、外部送信手段からの送信データがあるか否か、即ち、斯かる送信データを受信伝送部８７が受信しているか否かを判定する（ステップＳ２）。
【００４２】
そして、ステップＳ２で「無線信号あり」と判定すると、ＣＰＵは「外部信号受信モード」に切り換わって（ステップＳ３）、工場出荷段階で予め設定された前記[5]の表示形態が変更されていない場合、斯かる表示形態[5]の初期画面を表示器３５に表示させる（ステップＳ５）。
従って、以後、実釣時の釣糸の繰出しやハンドル１３，パワーレバー１５の操作による釣糸の巻取りに伴い、糸長が計測されて図９の如く糸長が表示器３５の上カラ表示部３７-1と棚カラ表示部３９-1に表示される。
【００４３】
一方、受信伝送部８７では、送信機８１から送信された魚探７５やＧＰＳ衛星７７の魚探データとＧＰＳデータを受信して、電動リール５７のマイクロコンピュータ１９に伝送する。
そして、ＣＰＵは、図９に示すように魚探データを基に表示器３５の魚探データ表示部１２１にポインタ１２３で釣船７３の位置を、ポインタ１２５，１２７で仕掛けの位置と魚群の位置を表示し、更に、設定された棚位置１３１を破線で表示させると共に、それらの水深を各ポインタ１２５，１２７と棚位置１３１の近接に表示し、魚探７５で得られた海底の地形１２９を表示させていく。また、ＣＰＵは、表示器３５の左側上部のＧＰＳデータ表示部１３３に、ＧＰＳデータの日付と時刻，釣船７３の現在位置を表示させていく。
【００４４】
また、図５のステップＳ２で「無線信号なし」と判定すると、ＣＰＵは「外部信号非受信モード」に切り換わって（ステップＳ４）、工場出荷段階で予め上記[9]の表示形態が変更されていない場合、斯かる表示形態[9]の初期画面を表示器３５に表示させる（ステップＳ６）。
従って、以後、実釣時の釣糸の繰出しやハンドル１３，パワーレバー１５の操作による釣糸の巻取りに伴い、計測された糸長が図４の如く上カラ表示部３７と棚カラ表示部３９に表示されると共に、コマセスイッチ４９の操作に応じてタイマが作動し、計時された時間がタイマ表示部５５に表示されていく。
【００４５】
そして、既述した図１０の手順により、「外部信号受信モード」と「外部信号非受信モード」の初期画面の表示形態[1]〜[5]，[6]〜[9]が適宜選択，設定されると共に、拡大／通常切換スイッチ４５の操作で、各表示形態[1]〜[5]，[6]〜[9]の通常表示と拡大表示が選択できることとなる。
このように本実施形態に係る釣り情報表示システムは、初期通電状態でマイクロコンピュータ１９のＣＰＵが外部送信手段からの送信データの有無を検知して、外部信号ありと判定すると、自動的に送信データが表示可能な前記[1]〜[5]の表示形態のうち、予め設定された[5]の表示形態の初期画面、或いは釣人によって選択された[1]〜[5]の中の一つの表示形態の初期画面を表示器３５に表示させ、また、外部信号なしと判定すると、自動的に送信データが非表示な前記[6]〜[9]の表示形態のうち、予め設定された[9]の表示形態の初期画面、或いは釣人によって選択された[6]〜[9]の中の一つの表示形態の初期画面を表示器３５に表示させるように構成して、電源投入時の初期画面を受信結果に応じ自動的に切り換えるようにしたので、特許文献１〜４の技術に比し、実釣時の実態に即した最適な表示が可能となった。
【００４６】
而も、上述したように表示させる「外部信号受信モード」と「外部信号非受信モード」の初期画面の表示形態を選択，設定可能としたので、釣人の好みに対応できることは勿論、釣法や釣場の状況にも対応できる利点を有する。
尚、上記実施形態では、給電コード６１に受信伝送部８７を装着して、魚釣用リール５７側のマイクロコンピュータ１９のＣＰＵを、外部信号の有無を検知する検知手段としたが、外部送信手段からの受信部と信号の有無を検知する検知手段を魚釣用リールのリール本体内に装着して、給電コードを用いずにリール本体や釣竿にバッテリを装着すれば、魚釣用リールの取り回しが容易となって操作性が向上する。
【００４７】
一方、給電コードや外部電源たるバッテリに受信伝送部と検知手段を装着して、給電コードを介して魚釣用リール側に受信信号を送信させるように構成してもよく、斯様に給電コードやバッテリに受信伝送部と検知手段を装着することで、魚釣用リールの大型化，重量化を防止して操作性の向上が図れると共に、スプールモータ等のモータノイズ等による受信障害を防止することが可能となる。
【図面の簡単な説明】
【００４８】
【図１】請求項１乃至請求項４の一実施形態に係る釣り情報表示システムを備えた電動リールの平面図である。
【図２】請求項１乃至請求項４の一実施形態に係る釣り情報表示システムを備えた電動リールとこれに接続された給電コードの側面図である。
【図３】請求項１乃至請求項４の一実施形態に係る釣り情報表示システムの制御ブロック図である。
【図４】外部信号非受信モードに於ける表示器の一表示形態の説明図である。
【図５】初期画面表示の工程を示すフローチャートである。
【図６】レセプタクルの平面図である。
【図７】図６のVII−VII線断面図である。
【図８】コネクタの平面図である。
【図９】初期画面の変更手順を示すフローチャートである。
【図１０】外部信号受信モードに於ける表示器の一表示形態の説明図である。
【符号の説明】
【００４９】
３  リール本体
９  スプール
１１  スプールモータ
１３  ハンドル
１５  パワーレバー
１９，８３  マイクロコンピュータ
２３  クラッチレバー
２５  回転検出手段
２７  リードスイッチ
３３  操作パネル
３５  表示器
３７，３７-1  上カラ表示部
３９，３９-1  棚カラ表示部
４１  リセットスイッチ
４３  棚メモスイッチ
４５  拡大／通常切換スイッチ
４７  モードスイッチ
４９  コマセスイッチ
５５  タイマ表示部
５７  電動リール
５９  突出部
６１  給電コード
６３  レセプタクル
６５  コネクタ
７３  釣船
７５  魚探
７７  ＧＰＳ衛星
７９  ＧＰＳ受信機
８１  送信機
８５  ケーシング
８７  受信伝送部
８９，９１  リード線
９５，９７，９９  情報通信線
１２１  魚探データ表示部
１３３  ＧＰＳデータ表示部
【図１】
2005348684.tif 000003
【図２】
2005348684.tif 000004
【図３】
2005348684.tif 000005
【図４】
2005348684.tif 000006
【図５】
2005348684.tif 000007
【図６】
2005348684.tif 000008
【図７】
2005348684.tif 000009
【図８】
2005348684.tif 000010
【図９】
2005348684.tif 000011
【図１０】
2005348684.tif 000012